(57)【要約】【課題】簡単に袋状容器の装着を行うことができる外装容器及び充填容器を提供する。【解決手段】外装容器１は、スパウト２２を有する袋状容器２０を収容して袋状容器２０を自立させるためのものである。外装容器１は、袋状容器２０を収容する縦長且つ扁平な袋状容器収容部１５と、袋状容器収容部１５の上端辺２ａ，３ａに設けられて袋状容器２０を外装容器１に挿入するための挿入用開口部６と、袋状容器収容部１５の長手方向に沿った第１の側辺部４に設けられて、外装容器１からスパウト２２を露出させるためのスパウト用開口部７と、外装容器１から露出したスパウト２２の露出状態を保持する第１及び第２の係止片８Ａ，８Ｂと、を備えている。【選択図】図１
2015202877.tif 000002
【特許請求の範囲】
【請求項１】
スパウトを有する袋状容器を収容して前記袋状容器を自立させるための外装容器であって、
前記袋状容器を収容する縦長且つ扁平な袋状容器収容部と、
前記袋状容器収容部の長手方向の両端のうち少なくとも一方の端辺に設けられて前記袋状容器を前記外装容器に挿入するための挿入用開口部と、
前記袋状容器収容部の長手方向に沿った側辺に設けられて前記外装容器から前記スパウトを露出させるためのスパウト用開口部と、
前記外装容器から露出した前記スパウトの露出状態を保持する係止片と、
を備えたことを特徴とする外装容器。
【請求項２】
前記スパウト用開口部は、前記袋状容器収容部における前記挿入用開口部側に設けられていることを特徴とする請求項１に記載の外装容器。
【請求項３】
前記係止片は、前記スパウト用開口部への前記スパウトの出入りに応じて開閉することを特徴とする請求項１又は２に記載の外装容器。
【請求項４】
前記係止片は、前記袋状容器収容部の長手方向における前記スパウト用開口部の両側に設けられていることを特徴とする請求項１〜３のいずれか一項に記載の外装容器。
【請求項５】
前記スパウト用開口部が設けられる前記側辺の上端には、上方に突出する突起が形成されていることを特徴とする請求項１〜４のいずれか一項に記載の外装容器。
【請求項６】
前記挿入用開口部が設けられる前記端辺は、前記スパウト用開口部に向かって傾斜していることを特徴とする請求項１〜５のいずれか一項に記載の外装容器。
【請求項７】
前記袋状容器収容部の長手方向における前記挿入用開口部側の前記係止片は、前記袋状容器収容部の長手方向における前記挿入用開口部の反対側の前記係止片と比較して、長く延びていることを特徴とする請求項４に記載の外装容器。
【請求項８】
請求項１〜７のいずれか一項に記載された外装容器と、
対象物を収容する前記袋状容器と、
を備えたことを特徴とする充填容器。
【発明の詳細な説明】
【技術分野】
【０００１】
本発明は、スパウトを有する袋状容器を収容して自立させるための外装容器及び充填容器に関する。
【背景技術】
【０００２】
従来から、食品や洗剤等の液体や粉体等を収容するパウチ容器等の袋状容器を自立させる外装容器が知られている。特開２００２−２５５２４０号公報には、箱状の外装容器が記載されている。この外装容器は、底部に袋状容器を挿入するための挿入用開口部が形成されており、頂部にスパウトを露出させるための露出用開口部が形成されている。この外装容器には、頂部に対してスライド移動可能となっている保持体が設けられており、この保持体で露出させたスパウトを保持することが可能となっている。
【先行技術文献】
【特許文献】
【０００３】
【特許文献１】特開２００２−２５５２４０号公報
【発明の概要】
【発明が解決しようとする課題】
【０００４】
上述した外装容器では、スパウトを有する袋状容器を外装容器の下から挿入し、スパウトを露出用開口部から露出させた状態で保持体をスライド移動させることによって、スパウトが外装容器に保持される。このように、箱状の外装容器の下から袋状容器を挿入してスパウトを露出させた状態で保持体をスライド移動させなければならないので、その分手間が増え袋状容器の装着が面倒なものになりやすいという問題がある。
【０００５】
本発明は、このような問題に鑑みてなされたものであり、簡単に袋状容器の装着を行うことができる外装容器及び充填容器を提供することを目的とする。
【課題を解決するための手段】
【０００６】
本発明に係る外装容器は、スパウトを有する袋状容器を収容して袋状容器を自立させるための外装容器であって、袋状容器を収容する縦長且つ扁平な袋状容器収容部と、袋状容器収容部の長手方向の両端のうち少なくとも一方の端辺に設けられて袋状容器を外装容器に挿入するための挿入用開口部と、袋状容器収容部の長手方向に沿った側辺に設けられて外装容器からスパウトを露出させるためのスパウト用開口部と、外装容器から露出したスパウトの露出状態を保持する係止片と、を備えている。
【０００７】
本発明に係る外装容器は、袋状容器を挿入するための挿入用開口部が、袋状容器収容部の長手方向の両端のうち少なくとも一方の端辺に設けられており、スパウトを露出させるためのスパウト用開口部は袋状容器収容部の長手方向に沿った側辺に設けられている。また、外装容器から露出したスパウトの露出状態を保持する係止片が設けられている。よって、挿入用開口部から挿入された袋状容器のスパウトをスパウト用開口部から露出させ係止片でスパウトの露出状態を保持することによって、外装容器への袋状容器の装着を簡単に行うことができる。また、この外装容器は、袋状容器を収容する袋状容器収容部が縦長且つ扁平な形状となっている。従って、片手で袋状容器収容部を掴むことにより簡単に外装容器を持つことができるので、この外装容器を持ちやすい形状にすることが可能となっている。
【０００８】
また、スパウト用開口部は、袋状容器収容部における挿入用開口部側に設けられていてもよい。この場合、袋状容器を挿入する挿入用開口部側にスパウト用開口部が設けられているので、装着時における外装容器内でのスパウトの移動距離を短くすることができる。従って、スパウトをスパウト用開口部から簡単に露出させることができるので、外装容器への袋状容器の装着を簡単に行うことができる。
【０００９】
また、係止片は、スパウト用開口部へのスパウトの出入りに応じて開閉してもよい。この場合、スパウト用開口部へのスパウトの出入りに応じて係止片が開閉するので、スパウト用開口部へのスパウトの出入りをスムーズに行うことができる。従って、外装容器に対する袋状容器の着脱を容易に行うことができる。
【００１０】
また、係止片は、袋状容器収容部の長手方向におけるスパウト用開口部の両側に設けられていてもよい。このように係止片がスパウト用開口部の両側に設けられていると、スパウト用開口部から露出するスパウトは、係止片によって両側から挟み込まれることとなる。従って、スパウトの露出状態をより確実に保持することができる。
【００１１】
また、スパウト用開口部が設けられる側辺の上端には、上方に突出する突起が形成されていてもよい。このように側辺の上端に突起が形成されている場合、突起の内面にスパウトを当てた状態で袋状容器を下方に押し込むことにより、袋状容器を外装容器に挿入することが可能となる。よって、袋状容器を外装容器に挿入するときに、スパウトを挿入用開口部に引っ掛かりにくくすることができる。従って、スパウトを有する袋状容器を外装容器に挿入しやすくすることができるので、外装容器への袋状容器の装着をより簡単に行うことができる。
【００１２】
また、挿入用開口部が設けられる端辺は、スパウト用開口部に向かって傾斜していてもよい。このように挿入用開口部の端辺を傾斜させることによって挿入用開口部の開口面積を大きくすることができるので、挿入用開口部に袋状容器を入れやすくすることができる。また、挿入用開口部の端辺をスパウト用開口部に向かって傾斜させることによって、挿入用開口部とスパウト用開口部との距離を短くすることが可能となる。従って、装着時における外装容器内でのスパウトの移動距離を短くすることができ、スパウトをスパウト用開口部から簡単に露出させることが可能となるので、外装容器への袋状容器の装着を簡単に行うことができる。
【００１３】
また、袋状容器収容部の長手方向における挿入用開口部側の係止片は、袋状容器収容部の長手方向における挿入用開口部の反対側の係止片と比較して、長く延びていてもよい。このように挿入用開口部側の係止片を長くすることによって挿入用開口部側の係止片を開閉させやすくすることが可能となるので、挿入用開口部から挿入した袋状容器のスパウトをより簡単に露出させることができる。従って、外装容器への袋状容器の装着を一層簡単に行うことができる。
【００１４】
本発明に係る充填容器は、上記の外装容器と、対象物を収容する袋状容器と、を備えている。よって、挿入用開口部から挿入された袋状容器のスパウトをスパウト用開口部から露出させ係止片でスパウトの露出状態を保持することによって、外装容器への袋状容器の装着を簡単に行うことができる。また、袋状容器を収容する袋状容器収容部が縦長且つ扁平な形状となっているので、片手で袋状容器収容部を掴むことにより簡単に充填容器を持つことができる。従って、外装容器を有する充填容器を持ちやすい形状とすることが可能となっている。
【発明の効果】
【００１５】
本発明によれば、簡単に袋状容器の装着を行うことができる。
【図面の簡単な説明】
【００１６】
【図１】本発明に係る充填容器の一実施形態を示す斜視図である。
【図２】本発明に係る外装容器の一実施形態を示す平面図である。
【図３】図２の外装容器を示す側面図である。
【図４】図３の外装容器の係止片を示す斜視図である。
【図５】図２の外装容器を示す底面図である。
【図６】図２の外装容器の底面部を示す断面図である。
【発明を実施するための形態】
【００１７】
以下、図面を参照しつつ、本発明に係る外装容器及び充填容器の実施形態について詳細に説明する。
【００１８】
図１に示されるように、本実施形態に係る液体用容器（充填容器）１００は、調味料や洗剤等の液体（対象物）を収容可能なパウチ状の袋状容器２０と、袋状容器２０を収容して袋状容器２０を自立させる外装容器１とを備えている。袋状容器２０は、液体を収容する袋体２１と、袋体２１の内部の液体を吐出させるためのスパウト２２とを備えている。袋体２１は、縦長且つ扁平な長方形状となっている。袋体２１は、上下方向（長手方向）に沿った側辺２１Ａを有しており、この側辺２１Ａにスパウト２２が設けられている。
【００１９】
袋状容器２０の袋体２１は、可撓性材料で構成されているので、内部に収容された液体の量に応じて膨張又は収縮する。スパウト２２は、袋体２１を封止する封止部２２ａと、回転することによって封止部２２ａに対して着脱自在となっている蓋部２２ｂとを備えている。封止部２２ａは、袋体２１の開口に固着された固着部２２ｃと、固着部２２ｃにおける袋体２１の反対側に位置する円板状のリング部２２ｄと、リング部２２ｄと固着部２２ｃとの間に設けられた窪み部２２ｅとを有する。なお、リング部２２ｄの形状は、後述する支持部８に支持される形状であれば、他の形状であってもよい。蓋部２２ｂは、スパウト本体に対して着脱自在となっている。
【００２０】
図１及び図２に示されるように、外装容器１は、第１の側面部２と、第１の側面部２に対向し第１の側面部２の反対側に位置する第２の側面部３とを備えている。第１の側面部２の形状と第２の側面部３の形状とは略同一となっており、第１の側面部２の丁度裏側に第２の側面部３が位置している。第１の側面部２と第２の側面部３とは、直線状に延びる第１の側辺部４と、直線状に延びる第２の側辺部５と、を介して接続されている。第１及び第２の側面部２，３と第１及び第２の側辺部４，５とによって袋状容器２０を収容する袋状容器収容部１５が構成されている。この袋状容器収容部１５は、縦長且つ扁平な形状となっている。また、第１の側面部２及び第２の側面部３は、板状を成す可撓性部材で構成されているので、外装容器１は掴みやすくなっている。
【００２１】
外装容器１は、１枚のシートを折り曲げることで製造することができる。外装容器１に使用されるシートの材質としては、例えばＰＰ、Ａ−ＰＥＴ、ＰＳ、ＰＶＣなどが挙げられる。シートの厚さは、例えば０．１〜２．０ｍｍであり、好ましくは０．２〜１．５ｍｍであり、より好ましくは０．２ｍｍ〜１．０ｍｍである。今回の材質はＰＰシートで厚み０．３ｍｍのものを使用した。
【００２２】
第１及び第２の側辺部４，５には、外装容器１の厚み方向の中央で屈曲されて、幅方向の外側に突出する角部が形成されている。この角部の頂部である折り目４ａ，５ａは袋状容器収容部１５の長手方向に沿って延在している。このように、第１及び第２の側辺部４，５は、正面側に位置する第１の側面部２の端部で屈曲され、背面側に位置する第２の側面部３の端部で屈曲されることによって形成されている。このように複数回屈曲して第１及び第２の側辺部４，５を形成することで、外装容器１の側部である角部を緩やかな角度とすることができる。また、袋状容器収容部１５の側部において、上下方向に延在する複数の折り目４ａ，５ａを形成することで、外装容器１の側部における剛性を高めて外装容器１の変形を抑制することができる。
【００２３】
第１の側辺部４の上側には、外装容器１に収容された袋状容器２０のスパウト２２を露出させるためのスパウト用開口部７が形成されている。スパウト用開口部７は、第１の側面部２における第１の側辺部４側の端部と、第２の側面部３における第１の側辺部４側の端部と、が湾状に切り欠かれることによって形成されている。スパウト用開口部７は、その内部をスパウト２２の蓋部２２ｂ、リング部２２ｄ及び窪み部２２ｅが出入りできる程度の大きさとなっている。スパウト用開口部７が設けられる第１の側辺部４の上端には、上方に半円状に突出する突起９が形成されている。突起９は、第１の側辺部４の上端に連続しており板状に形成されている。また、突起９は、折り目を有しない平坦な形状となっているので、簡単に撓ませることが可能となっている。
【００２４】
図３及び図４に示されるように、スパウト用開口部７の上下方向両側には、スパウト用開口部７から露出したスパウト２２を支持する支持部８が設けられている。支持部８は、スパウト用開口部７の上端から下方に延びる第１の係止片８Ａと、スパウト用開口部７の下端において板状に形成される第２の係止片８Ｂとによって構成されている。
【００２５】
第１の係止片８Ａは、第１の側面部２から第１の側辺部４に向かって斜め上方に延びる鋭角状の切り込み８ａと、切り込み８ａの丁度裏側に位置する鋭角状の切り込みとによって形成されている。よって、第１の係止片８Ａは、スパウト２２の出入り方向Ｄに折り曲げ可能となっている。第２の係止片８Ｂは、第１の側辺部４に連続しており、スパウト用開口部７の下端において上方に舌状に延びている。
【００２６】
上側に位置する第１の係止片８Ａは、下側に位置する第２の係止片８Ｂよりも長く延びている。また、第１及び第２の係止片８Ａ，８Ｂは、スパウト用開口部７へのスパウト２２の出入りに応じて開閉する。図１に示されるように、スパウト２２がスパウト用開口部７に入り込んだときには、第１の係止片８Ａの内面に固着部２２ｃの外面が接触し、第２の係止片８Ｂにリング部２２ｄと固着部２２ｃとの間の窪み部２２ｅが載置される。こうして、スパウト用開口部７に内側から入り込んだスパウト２２の露出状態が保持される。
【００２７】
袋状容器収容部１５の上端には、袋状容器２０を外装容器１に挿入するための挿入用開口部６が形成されている。挿入用開口部６は、第１の側面部２の上端辺２ａと、第２の側面部３の上端辺３ａと、第１の側辺部４の上端に位置する突起９と、第２の側辺部５の上端辺５ｂとによって形成されている。第１の側面部２の上端辺２ａと第２の側面部３の上端辺３ａは、第２の側辺部５から第１の側辺部４に向かうに従って下方に傾斜している。また、上端辺２ａ，３ａは、各々の中点付近からスパウト用開口部７に向かう方向に傾斜している。上端辺２ａ，３ａにおける第１の側辺部４側の端部に突起９が設けられている。
【００２８】
外装容器１の底部には、袋状容器収容部１５の底面を形成して外装容器１を自立させる底面部１２が設けられている。底面部１２は、内側に折りたたみ可能なガゼット形状に形成されている。底面部１２について、図５及び図６を参照しながら説明する。底面部１２は、第１の側面部２の下端を構成する第１の脚部１２Ａと、第２の側面部３の下端を構成する第２の脚部１２Ｂと、第１の側面部２の内側で揺動する掛け止め部１２Ｃと、掛け止め部１２Ｃの下面と第２の脚部１２Ｂの内側面とに接続された折り曲げ部１２Ｄとを備えている。折り曲げ部１２Ｄは、第１の脚部１２Ａと第２の脚部１２Ｂとの間で水平方向に延びる折り曲げ線１２ａに沿って折り曲げ自在となっている。掛け止め部１２Ｃは、第１の側面部２に接続する板状の部分であって折り曲げ部１２Ｄに形成された孔部１２Ｅに掛け止められる。
【００２９】
図６（ａ）に示されるように、第１の側面部２と第２の側面部３とが近接し折り曲げ部１２Ｄの折り曲げ角度θが小さい場合には、掛け止め部１２Ｃの先端１２ｂは斜め上方を向き第２の側面部３の内面から離間している。一方、図６（ｂ）に示されるように、掛け止め部１２Ｃを押し下げて折り曲げ部１２Ｄの折り曲げ角度θを大きくすると、掛け止め部１２Ｃの先端１２ｂが斜め下方に揺動し、掛け止め部１２Ｃの先端１２ｂが折り曲げ部１２Ｄの内側面上を摺動すると共に掛け止め部１２Ｃが撓み、掛け止め部１２Ｃの先端１２ｂが孔部１２Ｅに掛け止められる。
【００３０】
このように掛け止め部１２Ｃの先端１２ｂが孔部１２Ｅに掛け止められることによって、第１の側面部２と第２の側面部３とが離隔した状態を維持できるので、第１の脚部１２Ａと第２の脚部１２Ｂとで外装容器１を自立させることができる。なお、底面部１２は、外装容器１の底部であるため、袋状容器２０を支持する。このため、袋状容器２０は、外装容器１の下方から脱落することがない。また、図１に示されるように、自立した外装容器１に対して挿入用開口部６から袋状容器２０を挿入し、袋状容器２０のスパウト２２をスパウト用開口部７から露出させ、外装容器１から露出したスパウト２２の露出状態を第１及び第２の係止片８Ａ，８Ｂが保持することによって、袋状容器２０を自立させることができる。
【００３１】
また、袋状容器２０と外装容器１とを備えた液体用容器１００を使用する際には、スパウト２２の蓋部２２ｂを回して蓋部２２ｂをスパウト本体から外し、例えば片手で外装容器１を傾けるだけで袋状容器２０の内部における調味料や洗剤等を吐出させることができる。調味料や洗剤等の吐出が完了した後には、蓋部２２ｂを回して蓋部２２ｂをスパウト本体に取り付けることによって袋状容器２０を封止する。そして、スパウト２２で袋状容器２０を閉めた状態で袋状容器２０を自立させておくことができる。
【００３２】
以上、外装容器１及び外装容器１を備えた液体用容器１００では、袋状容器２０を挿入するための挿入用開口部６が、袋状容器収容部１５の上端に位置する上端辺２ａ，３ａに設けられており、スパウト２２を露出させるためのスパウト用開口部７は袋状容器収容部１５の長手方向に沿った第１の側辺部４に設けられている。また、外装容器１から露出したスパウト２２の露出状態を保持する第１及び第２の係止片８Ａ，８Ｂが設けられている。よって、挿入用開口部６から挿入された袋状容器２０のスパウト２２をスパウト用開口部７から露出させ第１及び第２の係止片８Ａ，８Ｂでスパウト２２の露出状態を保持することによって、外装容器１への袋状容器２０の装着を簡単に行うことができる。
【００３３】
また、外装容器１では、袋状容器２０を収容する袋状容器収容部１５が縦長且つ扁平な形状となっている。従って、片手で袋状容器収容部１５を掴むことにより簡単に外装容器１を持つことができるので、この外装容器１を持ちやすい形状にすることが可能となっている。
【００３４】
また、スパウト用開口部７は、袋状容器収容部１５における挿入用開口部６側に設けられている。よって、袋状容器２０を挿入する挿入用開口部６側にスパウト用開口部７が設けられているので、装着時における外装容器１内でのスパウト２２の移動距離を短くすることができる。従って、スパウト２２をスパウト用開口部７から簡単に露出させることができるので、外装容器１への袋状容器２０の装着を簡単に行うことができる。
【００３５】
また、第１及び第２の係止片８Ａ，８Ｂは、スパウト用開口部７へのスパウト２２の出入りに応じて開閉するので、スパウト用開口部７へのスパウト２２の出入りをスムーズに行うことができる。従って、外装容器１に対する袋状容器２０の着脱を容易に行うことができる。
【００３６】
また、第１及び第２の係止片８Ａ，８Ｂは、袋状容器収容部１５の長手方向におけるスパウト用開口部７の両側に設けられているので、スパウト用開口部７から露出するスパウト２２は第１及び第２の係止片８Ａ，８Ｂによって両側から挟み込まれることとなる。従って、スパウト２２の露出状態をより確実に保持することができる。
【００３７】
また、第１の側辺部４の上端には突起９が形成されているので、突起９の内面にスパウト２２を当てた状態で袋状容器２０を下方に押し込むことにより、袋状容器２０を外装容器１に挿入することが可能となる。よって、袋状容器２０を外装容器１に挿入するときに、スパウト２２を挿入用開口部６に引っ掛かりにくくすることができる。従って、スパウト２２を有する袋状容器２０を外装容器１に挿入しやすくすることができるので、外装容器１への袋状容器２０の装着をより簡単に行うことができる。
【００３８】
挿入用開口部６が設けられる上端辺２ａ，３ａはスパウト用開口部７に向かって傾斜しており、挿入用開口部６の開口面積を大きくすることができるので、挿入用開口部６に袋状容器２０を入れやすくすることができる。また、挿入用開口部６の上端辺２ａ，３ａをスパウト用開口部７に向かって傾斜させることによって、挿入用開口部６とスパウト用開口部７との距離を短くすることができる。従って、装着時における外装容器１内でのスパウト２２の移動距離を短くすることができ、スパウト２２をスパウト用開口部７から簡単に露出させることが可能となるので、外装容器１への袋状容器２０の装着を簡単に行うことができる。
【００３９】
また、挿入用開口部６側の第１の係止片８Ａは、挿入用開口部６の反対側の第２の係止片８Ｂと比較して長く延びている。よって、挿入用開口部６側の第１の係止片８Ａを開閉させやすくすることが可能となるので、挿入用開口部６から挿入した袋状容器２０のスパウト２２をより簡単に露出させることができる。従って、外装容器１への袋状容器２０の装着を一層簡単に行うことができる。
【００４０】
本発明は、上述した実施形態に限定されず、本発明の要旨を変更しない範囲で種々の変形が可能である。
【００４１】
上記実施形態において、袋状容器２０の袋体２１は縦長且つ扁平な長方形状となっていたが、外装容器１に挿入される袋状容器の形状は適宜変更可能である。
【００４２】
また、外装容器１の上端に挿入用開口部６が設けられていたが、挿入用開口部が設けられる位置は外装容器１の上端に限定されない。例えば挿入用開口部を外装容器の下端に設けることも可能であり、要は、袋状容器収容部１５の長手方向の両端のうち少なくとも一方の端辺に設けられていればよい。
【００４３】
また、スパウト用開口部７の上下に第１及び第２の係止片８Ａ，８Ｂが設けられていたが、係止片の位置、形状及び大きさについては適宜変更することも可能である。なお、突起９の形状及び大きさについても適宜変更可能である。
【００４４】
また、上記実施形態では、袋状容器２０に収容される対象物を液体とし、袋状容器２０を備える液体用容器（充填容器）１００について説明しているが、袋状容器に収容される対象物は、液体に限定されず、例えば、粉体、粒体、固体、粘性体等、その他の物でもよい。
【符号の説明】
【００４５】
１…外装容器、２ａ，３ａ…上端辺（端辺）、４…第１の側辺部（側辺）、６…挿入用開口部、７…スパウト用開口部、８…支持部、８Ａ…第１の係止片（係止片）、８Ｂ…第２の係止片（係止片）、９…突起、１５…袋状容器収容部、２０…袋状容器、２２…スパウト、１００…液体用容器（充填容器）。
【図１】
2015202877.tif 000003
【図２】
2015202877.tif 000004
【図３】
2015202877.tif 000005
【図４】
2015202877.tif 000006
【図５】
2015202877.tif 000007
【図６】
2015202877.tif 000008